(57)【特許請求の範囲】
【請求項１】
発光ダイオード回路と、
前記発光ダイオード回路の調光動作を改善するためのブリーダ回路であって、
電流の振幅の値を検出するための検出回路、及び
ブリーダ電流を導入するための導入回路であって、前記ブリーダ電流の振幅の値が、前記検出回路からの検出結果に応じて規定される導入回路を含むブリーダ回路と、
饋電電流を供給するための変換器とを有する装置であって、前記検出回路が、前記変換器によって供給される前記饋電電流を検出するよう構成され、前記饋電電流が、前記発光ダイオード回路の少なくとも一部を流れるよう構成され、前記ブリーダ回路と、前記発光ダイオード回路とが、熱的に結合されている装置。
【請求項２】
前記饋電電流の前記振幅の相対的に大きい値は、前記ブリーダ電流の前記振幅の相対的に小さい値をもたらし、前記饋電電流の前記振幅の相対的に小さい値は、前記ブリーダ電流の前記振幅の相対的に大きい値をもたらす請求項１に記載の装置。
【請求項３】
前記検出回路が、第１抵抗器回路を有し、前記導入回路が、第１トランジスタ回路を有する請求項１に記載の装置。
【請求項４】
前記第１トランジスタ回路が、単一のトランジスタを有する、又はダーリントン構成の２つのトランジスタを有する請求項３に記載の装置。
【請求項５】
前記検出回路が、前記第１トランジスタ回路を前記第１抵抗器回路に結合するための第２抵抗器回路を更に有し、前記第２抵抗器回路が、前記第１トランジスタ回路の第１主電極に結合される請求項３に記載の装置。
【請求項６】
前記検出回路が、前記第１トランジスタ回路を制御するための演算増幅器を更に有する請求項５に記載の装置。
【請求項７】
前記検出回路が、前記第１トランジスタ回路を制御するための第２トランジスタ回路を更に有する請求項５に記載の装置。
【請求項８】
前記第２トランジスタ回路が、単一のトランジスタを有する請求項７に記載の装置。
【請求項９】
前記第２トランジスタ回路が、差動増幅器構成の２つのトランジスタと、カレントミラー構成の２つのトランジスタとを有する請求項７に記載の装置。
【請求項１０】
前記検出回路が、前記第１トランジスタ回路を制御するための第２トランジスタ回路を更に有し、前記第２抵抗器回路が、前記第２トランジスタ回路の電極を介して前記第１トランジスタ回路の第１主電極に結合される請求項５に記載の装置。
【請求項１１】
前記第２トランジスタ回路が、カレントミラー構成の２つのトランジスタを有する請求項１０に記載の装置。
【請求項１２】
前記ブリーダ回路の休止中に前記検出回路の少なくとも一部をバイパスするためのバイパス回路を更に有する請求項１に記載の装置。
【請求項１３】
前記バイパス回路が、前記検出回路の第１抵抗器回路に対して並列に結合されるダイオード回路を有する請求項１２に記載の装置。
【請求項１４】
前記ブリーダ電流及び前記饋電電流を供給するための変換器を更に有し、一方の前記変換器と、他方の前記ブリーダ回路及び前記発光ダイオード回路とが、熱的に切り離されている請求項１に記載の装置。
【請求項１５】
請求項１乃至１４のいずれか一項に記載の装置における使用のためのブリーダ回路。
【発明の詳細な説明】
【技術分野】
【０００１】
本発明は、発光ダイオード回路の調光動作を改善するためのブリーダ回路に関する。本発明は、更に、前記ブリーダ回路を有する装置に関する。このような装置の例は、１つ以上の発光ダイオードを有するランプ又は照明器具である。
【背景技術】
【０００２】
US 2012 / 0268040 A1は、調光器に入る又は調光器を出る電力の電力エンベロープのエッジをモニタ及び追跡するブリーダ回路を開示している（§００３１、§００３５）。
【０００３】
US 2010 / 0090604 A1は、調光器のオフ状態において漏れ電流を検出及びバイパスする回路を開示している。ＬＥＤドライバ回路の電流制限器と調光器との間の接続部において検出回路によって電流が検出される。電流制限器とＬＥＤとの間に、ＬＥＤに対して並列に接続され、検出回路によって制御される能動素子が、調光器からの漏れ電流をバイパスし得る。この構成は、検出回路及び能動素子のために幾つかの付加的な接続を必要とすることから、複雑である。 
【０００４】
WO2013 / 011924 A1は、検出ユニットを具備するバイパス回路を開示している。検出ユニットは、調光器から受け取られる電流をモニタする。検出ユニットによって検出される電流が所定の値を超えるとき、バイパス回路を流れる電流が遮断される。この構成は、調光器との接続を必要とする。
【発明の概要】
【発明が解決しようとする課題】
【０００５】
本発明の目的は、改善されたブリーダ回路を提供することである。本発明の他の目的は、装置を提供することである。
【課題を解決するための手段】
【０００６】
第１の態様によれば、発光ダイオード回路の調光動作を改善するためのブリーダ回路であって、前記ブリーダ回路が、
−  電流の振幅の値を検出するための検出回路と、
−  ブリーダ電流を導入するための導入回路とを有し、前記ブリーダ電流の振幅の値が、前記検出回路からの検出結果に応じて規定され、前記検出回路が、変換器によって供給される饋電電流を検出するよう構成され、前記饋電電流が、前記発光ダイオード回路の少なくとも一部を流れるよう構成されるブリーダ回路が提供される。
【０００７】
発光ダイオード回路の調光動作を改善するためのブリーダ回路には、前記発光ダイオード回路（の少なくとも一部）を流れるよう構成される饋電電流の振幅の値を検出するための検出回路が設けられる。この饋電電流は、前記発光ダイオード回路（の少なくとも一部）に給電するよう構成される。前記ブリーダ回路には、更に、前記ブリーダ電流を導入するための導入回路が設けられる。前記検出回路は、前記ブリーダ電流の振幅の値が、前記検出回路からの検出結果に応じて規定されるように、前記導入回路に通知する、且つ／又は前記導入回路を制御する。換言すれば、前記発光ダイオード回路（の少なくとも一部）を流れるよう構成される饋電電流の振幅の値が、ブリーダ電流の振幅の値を導き出すために用いられる。通常、前記ブリーダ電流は、給電目的のために前記発光ダイオード回路（の少なくとも一部）を流れる饋電電流とは違って、前記発光ダイオード回路を流れない。結果として、ブリーダ回路は、前記ブリーダ回路と調光器との間、及び／又は前記ブリーダ回路と変換器との間で如何なる（付加的な）接続もなされる必要なしに、発光ダイオード回路の近くに位置することができる。前記ブリーダ回路は、前記ブリーダ電流の前記振幅の値を規定するために前記饋電電流の前記振幅の値しか用いない。このようなブリーダ回路は、例えば、前記発光ダイオード回路と一緒に組み込まれることができ、前記ブリーダ回路及び前記発光ダイオード回路は、例えば、同じヒートシンクを用いることができる。これらは大きな利点である。
【０００８】
発光ダイオード回路は、何らかの種類の、何らかの組み合わせの１つ以上の発光ダイオードを有する。通常、前記饋電電流の前記振幅のより小さい値に対して、前記ブリーダ電流の前記振幅は、非ゼロ値を持ち、前記饋電電流の前記振幅のより大きい値に対して、前記ブリーダ電流の前記振幅は、ゼロ値を持つだろう。饋電電流は、前記発光ダイオードの他の部分が作動しないようにされている場合、又は前記他の部分が別の方法で給電される場合に、前記発光ダイオード回路の一部にしか流れない。
【０００９】
前記ブリーダ回路の実施例は、前記饋電電流の前記振幅の相対的に大きい値は、前記ブリーダ電流の前記振幅の相対的に小さい値をもたらし、前記饋電電流の前記振幅の相対的に小さい値は、前記ブリーダ電流の前記振幅の相対的に大きい値をもたらすことによって、規定される。前記饋電電流の前記振幅の50mAから100mAまでのような相対的に大きい値に対して、前記ブリーダ電流の前記振幅は、例えば、ゼロ値を持ち得る。前記饋電電流の前記振幅の0mAから20mAまで及び20mAから50mAまでのような相対的に小さい値に対して、前記ブリーダ電流の前記振幅は、例えば、線形に及び／又は非線形に、各々、0mAから10mAへ増加し得る、及び10mAから0mAへ減少し得る。他の値も除外されるべきではない。
【００１０】
前記ブリーダ回路の実施例は、前記検出回路が、第１抵抗器回路を有し、前記導入回路が、第１トランジスタ回路を有することによって規定される。前記ブリーダ回路のこの実施例は、前記発光ダイオード回路と一緒に容易に組み込まれることができる。
【００１１】
前記ブリーダ回路の実施例は、前記第１トランジスタ回路が、単一のトランジスタを有する、又はダーリントン構成の２つのトランジスタを有することによって規定される。１つのトランジスタの形態の第１トランジスタ回路は、単純で、低コストで、ロバストな実施例である。ダーリントン構成の２つのトランジスタの形態の第１トランジスタ回路は、より大きな増幅を供給する。
【００１２】
前記ブリーダ回路の実施例は、前記検出回路が、前記第１トランジスタ回路を前記第１抵抗器回路に結合するための第２抵抗器回路を更に有し、前記第２抵抗器回路が、前記第１トランジスタ回路の第１主電極に結合されることによって規定される。前記検出回路内の第２抵抗器回路は、他の回路を介して間接的に、又は間に他の回路がないようにして直接、前記第１抵抗器回路を前記第１トランジスタ回路の第１主電極に結合する。
【００１３】
前記ブリーダ回路の実施例は、前記検出回路が、前記第１トランジスタ回路を制御するための演算増幅器を更に有することによって規定される。演算増幅器は、内部基準供給源を持っていてもよく、又は外部基準供給源を用いてもよい。
【００１４】
前記ブリーダ回路の実施例は、前記検出回路が、前記第１トランジスタ回路を制御するための第２トランジスタ回路を更に有することによって規定される。第２トランジスタ回路は、１つ以上のトランジスタを有し得る。
【００１５】
前記ブリーダ回路の実施例は、前記第２トランジスタ回路が、単一のトランジスタを有することによって規定される。１つのトランジスタの形態の第２トランジスタ回路は、単純で、低コストで、ロバストな実施例である。
【００１６】
前記ブリーダ回路の実施例は、前記第２トランジスタ回路が、差動増幅器構成の２つのトランジスタと、カレントミラー構成の２つのトランジスタとを有することによって規定される。差動増幅器構成及びカレントミラー構成を有する第２トランジスタ回路は、前記１つのトランジスタの実施例と比べて、より良い性能を発揮するだろう。
【００１７】
前記ブリーダ回路の実施例は、前記検出回路が、前記第１トランジスタ回路を制御するための第２トランジスタ回路を更に有し、前記第２抵抗器回路が、前記第２トランジスタ回路の電極を介して前記第１トランジスタ回路の第１主電極に結合されることによって規定される。前記検出回路内の第２抵抗器回路は、第２トランジスタ回路の形態の他の回路を介して間接的に、前記第１抵抗器回路を前記第１トランジスタ回路の第１主電極に結合する。
【００１８】
前記ブリーダ回路の実施例は、前記第２トランジスタ回路が、カレントミラー構成の２つのトランジスタを有することによって規定される。カレントミラー構成を有する第２トランジスタ回路は、良好な熱安定性を供給するだろう。
【００１９】
前記ブリーダ回路の実施例は、前記ブリーダ回路の休止中に前記検出回路の少なくとも一部をバイパスするためのバイパス回路を更に有することによって規定される。前記ブリーダ回路の休止中に前記検出回路の少なくとも一部をバイパスするとき、電力消費は減らされる。
【００２０】
前記ブリーダ回路の実施例は、前記バイパス回路が、前記検出回路の第１抵抗器回路に対して並列に結合されるダイオード回路を有することによって規定される。例えば１つ以上のダイオードを有するダイオード回路の形態のバイパス回路は、単純で、低コストで、ロバストな実施例である。
【００２１】
第２の態様によれば、上で規定されているようなブリーダ回路を有すると共に、発光ダイオード回路を更に有する装置であって、前記ブリーダ回路と、前記発光ダイオード回路とが、熱的に結合されている装置が提供される。好ましくは、前記ブリーダ回路と、前記発光ダイオード回路とが、熱的に結合されている。それらのうちの一方が、相対的に多くの電力を放散しているとき、通常、他方は、相対的に少ない電力しか放散しないだろう。
【００２２】
前記装置の実施例は、前記ブリーダ電流及び前記饋電電流を供給するための変換器を更に有し、一方の前記変換器と、他方の前記ブリーダ回路及び前記発光ダイオード回路とが、熱的に切り離されていることによって規定される。好ましくは、一方の前記変換器と、他方の前記ブリーダ回路及び前記発光ダイオード回路とが、両ユニットを熱的に十分に分離するよう、熱的に切り離されるだろう。
【００２３】
洞察は、ブリーダ回路は、好ましくは、発光ダイオード回路の近くに位置するだろうというものである。基本的なアイデアは、ブリーダ電流の振幅の値は、前記ブリーダ回路と調光器との間、及び／又は前記ブリーダ回路と変換器との間の（付加的な）接続を回避するよう、前記発光ダイオード回路の少なくとも一部を流れるよう構成される饋電電流の振幅の値の検出に応じて規定されるべきであるというものである。
【００２４】
改善されたブリーダ回路を提供する課題は解決された。他の利点は、前記ブリーダ回路は、前記発光ダイオード回路と一緒に組み込まれることができること、並びに前記ブリーダ回路及び前記発光ダイオード回路は、同じヒートシンクを用いることができることである。
【００２５】
下記の実施例を参照して、本発明のこれら及び他の態様を説明し、明らかにする。
【図面の簡単な説明】
【００２６】
【図１】概観を示す
【図２】ブリーダ回路の第１実施例を示す。
【図３】第１実施例の波形を示す。
【図４】ブリーダ回路の第２実施例を示す。
【図５】ブリーダ回路の第３実施例を示す。
【図６】ブリーダ回路の第４実施例を示す。
【発明を実施するための形態】
【００２７】
図１においては、概観が示されている。発光ダイオード回路２の調光動作を改善するためのブリーダ回路１は、発光ダイオード回路２の少なくとも一部を流れるよう構成される饋電電流の振幅の値を検出回路１１を有すると共に、ブリーダ電流を導入するための導入回路１２を有する。ブリーダ電流の振幅の値は、検出回路１１からの検出結果に応じて規定される。ブリーダ回路１の入力端子は、例えば、スイッチモード電源などであるが、他の種類の変換器を除外しない変換器３の出力端子に結合される。変換器３の入力端子は、例えば、従来のトライアック調光器などであるが、他の種類の調光器を除外しない（フェーズカット）調光器４の出力端子に結合される。調光器４の入力端子は、主電源に結合される。
【００２８】
好ましくは、饋電電流の振幅の相対的に大きい値は、ブリーダ電流の振幅の相対的に小さい値をもたらし、饋電電流の振幅の相対的に小さい値は、ブリーダ電流の振幅の相対的に大きい値をもたらすだろう。発光ダイオード回路２が相対的に多くの電力を放散しているとき、ブリーダ回路１は、通常、相対的に少ない電力しか放散せず、逆の場合も同じであるだろう。
【００２９】
図２においては、ブリーダ回路１の第１実施例が示されている。ブリーダ回路１の第１入力端子は、ブリーダ回路１の第１出力端子に結合される。ブリーダ回路１の第２入力端子は、ここでは、単一の抵抗器の形態であるが、１つより多くの抵抗器を備える実施例も除外されるべきではない第１抵抗器回路３１を介して、ブリーダ回路１の第２出力端子に結合される。ブリーダ回路１は、ここでは、単一のトランジスタの形態であるが、例えばダーリントン構成において２つ以上のトランジスタを備える実施例も除外されるべきではない第１トランジスタ回路４１を有する。第１トランジスタ回路４１の第１主電極は、第２抵抗器回路３２を介して、ブリーダ回路１の第２出力端子及び第１抵抗器回路３１に結合される。第２抵抗器回路３２は、ここでは、単一の抵抗器を有するが、１つより多くの抵抗器を備える実施例も除外されるべきではない。第１トランジスタ回路４１の第２主電極は、抵抗器６１を介して、ブリーダ回路１の第１出力端子に結合される。抵抗器６１は、第１トランジスタ回路４１における電力放散を減らすが、ブリーダ回路１の基本動作に影響を及ぼさずに省略され得る。第１トランジスタ回路４１の制御電極は、抵抗器６２を介してブリーダ回路１の第１出力端子に結合されると共に、抵抗器６３を介して演算増幅器５１の出力部に結合される。抵抗器６２は、制御電極電流を第１トランジスタ回路４１の制御電極に送ることを可能にする。第１トランジスタ回路４１の第１主電極は、抵抗器６４を介して演算増幅器５１の反転入力部に結合される。演算増幅器５１の非反転入力部は外部基準供給源６６を介してアースに結合され、ブリーダ回路１の第２入力端子もアースに結合される。他の例においては、内部（内蔵）基準供給源を備える演算増幅器が用いられてもよい。演算増幅器５１の出力部は、コンデンサ６５を介して演算増幅器５１の反転入力部に結合される。
【００３０】
ブリーダ回路１の出力端子に結合される発光ダイオード回路２を流れる饋電電流の振幅が、小さすぎる値をとるや否や、抵抗器回路３１の両端の電圧の振幅は、小さすぎる値をとり、演算増幅器５１は、ブリーダ電流を導入するよう第１トランジスタ回路４１を制御する。結果として、発光ダイオード回路２の出力強度が相対的に小さい場合でも、調光器４はトラブルを起こさないだろう。通常、第１抵抗器回路３１及び第２抵抗器回路３２及び演算増幅器５１が、検出回路１１の一部を形成し、第１トランジスタ回路４１が、導入回路１２の一部を形成する。
【００３１】
図３においては、図２に示されている第１実施例の波形が示されており、垂直軸は、電力（０ワット乃至８ワット）又は電流（0mA乃至500mA）であり、水平軸は、調光器の導通角（180°乃至0°）である。波形Aは、変換器２を介して伝達される電力（又は変換器３を流れる電流）を示しており、波形Bは、発光ダイオード回路２において放散される電力（又は発光ダイオード回路２を流れる饋電電流）を示しており、波形Cは、ブリーダ回路１において放散される電力（又はブリーダ電流）を示している。この例によれば、ブリーダ回路１なしでは、20%を下回る減光は不可能である。ブリーダ回路１によって、3%までの減光が可能になっている（波形Aと波形Bと間の差）。明らかに、ブリーダ回路１が、所謂深い調光を可能にする。これは、大きな利点である。深い調光における正確な利得は、変換器３の伝達関数に依存する。
【００３２】
図４においては、ブリーダ回路１の第２実施例が示されている。ブリーダ回路１の第１入力端子は、ブリーダ回路１の第１出力端子に結合される。ブリーダ回路１の第２入力端子は、ここでは、単一の抵抗器の形態であるが、１つより多くの抵抗器を備える実施例も除外されるべきではない第１抵抗器回路３１を介して、ブリーダ回路１の第２出力端子に結合される。ブリーダ回路１は、ここでは、ダーリントン構成の２つのトランジスタの形態であるが、３つ以上のトランジスタを備える実施例も除外されるべきではない第１トランジスタ回路４１を有する。第１トランジスタ回路４１の第１主電極は、第２抵抗器回路３２を介して、ブリーダ回路１の第２出力端子及び第１抵抗器回路３１に結合される。第２抵抗器回路３２は、単一の抵抗器を有するが、１つより多くの抵抗器を備える実施例も除外されるべきではない。第１トランジスタ回路４１の第２主電極は、抵抗器６１を介して、ブリーダ回路１の第１出力端子に結合される。抵抗器６１は、第１トランジスタ回路４１などにおける電力放散を減らす。第１トランジスタ回路４１の制御電極は、抵抗器６２を介してブリーダ回路１の第１出力端子に結合されると共に、ここでは、単一のトランジスタの形態であるが、２つ以上のトランジスタを備える実施例も除外されるべきではない第２トランジスタ回路４２の第２主電極に結合される。第２トランジスタ回路４２の第１主電極はアースに結合され、ブリーダ回路１の第２入力端子もアースに結合される。第２トランジスタ回路４２の制御電極は、第１トランジスタ回路４１の第１主電極に結合される。
【００３３】
ブリーダ回路１の出力端子に結合される発光ダイオード回路２を流れる電流の振幅が、小さすぎる値をとるや否や、抵抗器回路３１の両端の電圧の振幅は、小さすぎる値をとり、第２トランジスタ回路４２は、ブリーダ電流を導入するよう第１トランジスタ回路４１を制御する。結果として、発光ダイオード回路２の出力強度が相対的に小さい場合でも、調光器４はトラブルを起こさないだろう。通常、第１抵抗器回路３１及び第２抵抗器回路３２及び第２トランジスタ回路４２が、検出回路１１の一部を形成し、第１トランジスタ回路４１が、導入回路１２の一部を形成する。
【００３４】
図５においては、ブリーダ回路１の第３実施例が示されている。ブリーダ回路１の第１入力端子は、ブリーダ回路１の第１出力端子に結合される。ブリーダ回路１の第２入力端子は、ここでは単一の抵抗器などの形態の第１抵抗器回路３１を介して、ブリーダ回路１の第２出力端子に結合される。ブリーダ回路１は、ここでは単一のトランジスタなどの形態の第１トランジスタ回路４１を有する。第１トランジスタ回路４１の第１主電極は、第２抵抗器回路３２を介して、ブリーダ回路１の第２出力端子及び第１抵抗器回路３１に結合される。第２抵抗器回路３２は、単一の抵抗器などを有する。第１トランジスタ回路４１の第２主電極は、抵抗器６１を介して、ブリーダ回路１の第１出力端子などに結合される。第１トランジスタ回路４１の制御電極は、抵抗器６２を介してブリーダ回路１の第１出力端子に結合されると共に、２つのトランジスタを有するカレントミラー構成５３の第１入力部に結合される。カレントミラー構成５３の第１出力部は抵抗器７４を介してアースに結合され、ブリーダ回路１の第２入力端子もアースに結合される。カレントミラー構成５３の第２入力部は、２つのトランジスタを有する差動増幅器構成５２の第１出力部に結合される。カレントミラー構成５３の第２出力部は、抵抗器７３を介してアースに結合される。
【００３５】
差動増幅器構成５２の第２出力部は、抵抗器７２を介してアースに結合される。差動増幅器構成５２の給電入力部は、抵抗器７１を介して、抵抗器８０とコンデンサ８１との間の相互接続部に結合される。抵抗器８０は、更に、ブリーダ回路１の第１入力端子に結合され、コンデンサ８１は、更に、アースに結合される。差動増幅器構成５２の第１制御入力部は、抵抗器７５を介して前記相互接続部に結合されると共に、抵抗器７６を介してアースに結合される。前記相互接続部は、更に、電圧基準素子７９を介してアースに結合され、電圧基準素子７９の制御電極は、抵抗器７７を介して前記相互接続部に結合されると共に、抵抗器７８を介してアースに結合される。差動増幅器構成５２の第２制御入力部は、第１トランジスタ回路４１の第１主電極に結合される。図５に示されているブリーダ回路１の第３実施例は、図４に示されているブリーダ回路１の第２実施例と比べると、差動増幅器構成５２及びカレントミラー構成５３のために、より良い性能を発揮するだろう。通常、差動増幅器構成５２及びカレントミラー構成５３は、検出回路１１などの一部を形成するだろう。
【００３６】
図６においては、ブリーダ回路１の第４実施例が示されている。ブリーダ回路１の第１入力端子は、ブリーダ回路１の第１出力端子に結合される。ブリーダ回路１の第２入力端子は、ここでは単一の抵抗器などの形態の第１抵抗器回路３１を介して、ブリーダ回路１の第２出力端子に結合される。ブリーダ回路１は、ここでは単一のトランジスタなどの形態の第１トランジスタ回路４１を有する。第１トランジスタ回路４１の第１主電極は、第２トランジスタ回路５４及び第２抵抗器回路３２を介して、ブリーダ回路１の第２出力端子及び第１抵抗器回路３１に結合される。第２抵抗器回路３２は、単一の抵抗器などを有し、第２トランジスタ回路５４の電極を介して第１トランジスタ回路４１の第１主電極に結合される。第２トランジスタ回路５４は、ここでは、カレントミラー構成の２つのトランジスタを有する。第１トランジスタ回路４１の第２主電極は、抵抗器６１を介して、ブリーダ回路１の第１出力端子などに結合される。第１トランジスタ回路４１の制御電極は、抵抗器６２を介してブリーダ回路１の第１出力端子に結合されると共に、カレントミラー構成５４の第１入力部に結合される。カレントミラー構成５４の第１出力部は、抵抗器９１を介して、アースに結合される。カレントミラー構成５４の第２入力部及び第２出力部は、前記電極を形成する。通常、カレントミラー構成５４は、検出回路１１などの一部を形成するだろう。このカレントミラー構成５４は、良好な熱安定性を供給する。
【００３７】
好ましくは、ブリーダ回路１の第４実施例に示されているように、ブリーダ回路１は、電力消費を減らすためにブリーダ回路１の休止中に検出回路１１の少なくとも一部をバイパスするためのバイパス回路１３を更に有し得る。バイパス回路１３は、例えば、検出回路１１の第１抵抗器回路３１に対して並列に結合されるダイオード回路９２、９３を有し得る。このようなダイオード回路９２、９３は、１つのダイオードを有してもよく、又は例えば直列に結合される２つ以上のダイオードを有してもよい。
【００３８】
２つの素子は、第３の素子を介して間接的に結合されてもよく、又は間に第３の素子が結合されずに直接結合されてもよい。示されている前記実施例において、前記実施例のうちの或る実施例の一部は、前記実施例のうちの別の実施例に付加されてもよく、前記実施例のうちの或る実施例の一部は、前記実施例のうちの別の実施例の別の一部に取って代わってもよい。
【００３９】
要約すると、ブリーダ回路１は、発光ダイオード回路２に給電するための饋電電流の振幅の値を検出するための検出回路１１を有すると共に、ブリーダ電流を導入するための導入回路１２を有する。ブリーダ電流の振幅の値は、前記検出回路１１からの検出結果に応じて規定される。結果として、前記ブリーダ回路１と調光器４との間の不利な接続は回避され、前記ブリーダ回路１は、前記発光ダイオード回路２の近くに位置することができ、それらは、同じヒートシンクを用いることができる。前記検出回路１１は、第１抵抗器回路３１を有してもよく、前記導入回路１２は、第１トランジスタ回路４１を有してもよい。前記検出回路１１は、前記第１トランジスタ回路４１を前記第１抵抗器回路３１に結合するための第２抵抗器回路３２を更に有してもよく、前記第１トランジスタ回路４１を制御するための演算増幅器５１又は第２トランジスタ回路４２を有してもよい。
【００４０】
本発明を、図面において図示し、上記の説明において詳細に説明しているが、このような図及び説明は、説明的なもの又は例示的なものとみなされるべきであって、限定するものとみなされるべきではない。本発明は、開示されている実施例に限定されない。請求項に記載の発明を実施する当業者は、図面、明細及び添付の請求項の研究から、開示されている実施例に対する他の変形を、理解し、達成し得る。請求項において、「有する」という用語は、他の要素又はステップを除外せず、単数形表記は、複数の存在を除外しない。単に、特定の手段が、相互に異なる従属請求項において引用されているという事実は、これらの手段の組み合わせが有利になるように用いられることができないことを示すものではない。請求項におけるいかなる参照符号も、範囲を限定するものとして解釈されてはならない。
【図１】
0006495911.tif 000002
【図２】
0006495911.tif 000003
【図３】
0006495911.tif 000004
【図４】
0006495911.tif 000005
【図５】
0006495911.tif 000006
【図６】
0006495911.tif 000007